(57)【要約】【課題】出力電圧を保護し、且つコストが低いバックライトモジュールを提供する。【解決手段】配線板の上に設置されるバックライトモジュールにおいて、電源信号を出力する電源制御回路と、前記電源制御回路に電気接続される一次巻線及び少なくとも１つの二次巻線を具備する変圧器と、前記変圧器の二次巻線の高電圧端に設置されて、電磁誘導方式で前記二次巻線の高電圧端の電圧の変化を測定する一方、測定した電圧の変化の情報を前記電源制御回路へ伝送する電圧センサーと、を具備し、前記電源制御回路は、前記電圧の変化の情報に基づいて、自分の電源信号の出力を調節する。【選択図】図３
2010003666.tif 000002
【特許請求の範囲】
【請求項１】
配線板の上に設置されるバックライトモジュールにおいて、
電源信号を出力する電源制御回路と、
前記電源制御回路に電気接続される一次巻線及び少なくとも１つの二次巻線を具備する変圧器と、
前記変圧器の二次巻線の高電圧端に設置されて、電磁誘導方式で前記二次巻線の高電圧端の電圧の変化を測定する一方、測定した電圧の変化の情報を前記電源制御回路へ伝送する電圧センサーと、を具備し、
前記電源制御回路は、前記電圧の変化の情報に基づいて、自分の電源信号の出力を調節することを特徴とするバックライトモジュール。
【請求項２】
前記変圧器は、少なくとも１つの予備接続部をさらに具備し、前記予備接続部は、前記変圧器の側に設置されている端部は使えなく、外部に露出した他端部は前記配線板に接続されていることを特徴とする請求項１に記載のバックライトモジュール。
【請求項３】
前記電圧センサーとして、信号線を採用し、前記信号線の一端は予備接続部に電気接続され、他端は前記電源制御回路に電気接続されることを特徴とする請求項２に記載のバックライトモジュール。
【請求項４】
前記電圧センサーは、前記変圧器の二次巻線の側の配線板の上に設置されて、電磁誘導方式で前記二次巻線の電圧の変化を測定する銅箔と、一端が前記銅箔に電気接続され、他端が前記電源制御回路に電気接続され、且つ前記銅箔が測定した前記二次巻線の電圧の変化の情報を前記電源制御回路へ伝送する信号線と、を具備することを特徴とする請求項１に記載のバックライトモジュール。
【請求項５】
前記電圧センサーとして、センス信号線を採用し、且つ配線板の上に設置され、その一端が変圧器の二次巻線の高電圧端側に設置され、且つ電磁誘導方式で前記二次巻線の電圧の変化を測定し、他端が電源制御回路に電気接続され、且つその測定した電圧の変化の情報を前記電源制御回路へ伝送することを特徴とする請求項１に記載のバックライトモジュール。
【発明の詳細な説明】
【技術分野】
【０００１】
本発明は、バックライトモジュールに関し、特に出力する電圧の異常を保護するバックライトモジュールに関する。
【背景技術】
【０００２】
現在、出力電圧保護（過電圧保護及び不足電圧保護）は、バックライトモジュールの重要な技術になっている。
【０００３】
図１は、従来のバックライトモジュールの駆動装置の構成図である。前記駆動装置は、電源制御回路１１と、光源モジュール１２と、変圧器Ｔ１と、第一コンデンサＣ１と、第二コンデンサＣ２と、を具備する。
【０００４】
前記電源制御回路１１は、電源回路１１０と、制御回路１１１と、保護回路１１２と、を具備する。前記電源回路１１０は、電源信号を提供する。
【０００５】
前記変圧器Ｔ１は、一次巻線（Winding）及び二次巻線を具備する。前記一次巻線は、電源回路１１０に電気接続され、前記二次巻線は、前記光源モジュール１２に電気接続されている。前記変圧器Ｔ１は、前記電源信号を前記光源モジュール１２を駆動する交流信号に変換させる。
【０００６】
前記第一及び第二コンデンサＣ１、Ｃ２は、前記変圧器Ｔ１の前記二次巻線と接続地面との間に直列接続されている。前記第一及び第二コンデンサＣ１、Ｃ２は、前記変圧器Ｔ１の前記二次巻線の側の高電圧を分圧する作用を奏する。
【０００７】
前記保護回路１１２は、前記第一コンデンサＣ１と前記第二コンデンサＣ２との間に電気接続されて、上述した分圧状況に基づいて対応する保護信号を出力する。
【０００８】
前記制御回路１１１は、前記電源回路１１０と前記保護回路１１２との間に電気接続されている。前記制御回路１１１は、前記保護回路１１２からの保護信号を接収する一方、制御信号を出力して、前記電源回路１１０の電圧の出力を制御する。
【０００９】
通常、前記第一コンデンサＣ１は、高電圧コンデンサ或いは多層配線板の間に設置されるストレー・キャパシティ(Stray Capacity)である。前記第一コンデンサＣ１と前記第二コンデンサＣ２とは、分圧回路を形成して、前記変圧器Ｔ１から出力する電圧を測定する。従って、前記電源制御回路１１から出力する電圧を保護する。
【００１０】
しかし、前記高電圧コンデンサは、体積が大きいので、前記高電圧コンデンサが配線板の空間を多く占め、且つコストが高くなるという欠点がある。前記多層配線板の間に設置されるストレー・キャパシティは、多層構造（少なくとも２つの層）を有する配線板を必要するので、コストも高くなる欠点がある。
【発明の開示】
【発明が解決しようとする課題】
【００１１】
本発明の目的は、出力電圧を保護し、且つコストが低いバックライトモジュールを提供することである。
【課題を解決するための手段】
【００１２】
配線板の上に設置されるバックライトモジュールにおいて、電源信号を出力する電源制御回路と、前記電源制御回路に電気接続される一次巻線及び少なくとも１つの二次巻線を具備する変圧器と、前記変圧器の二次巻線の高電圧端に設置されて、電磁誘導方式で前記二次巻線の高電圧端の電圧の変化を測定する一方、測定した電圧の変化の情報を前記電源制御回路へ伝送する電圧センサーと、を具備し、前記電源制御回路は、前記電圧の変化の情報に基づいて、自分の電源信号の出力を調節する。
【発明の効果】
【００１３】
本発明のバックライトモジュールは、電圧センサーを利用して電磁誘導方式で変圧器の二次巻線の高電圧端の電圧変化を測定する。従って、本発明のバックライトモジュールは、部品の数量を減らし、単面板から製造することができるので、構造が簡単になり、コストを低減することができる。
【発明を実施するための最良の形態】
【００１４】
以下、図面に基づいて、出力電圧を保護し、且つコストを低下することができる本発明のバックライトモジュールに対して詳細に説明する。
【００１５】
図２は、本発明の第一実施の状態に係るバックライトモジュール２の回路図である。前記バックライトモジュール２は、変圧器２１と、電圧センサー２２と、電源制御回路２３と、を具備する。前記電源制御回路２３は、電源信号を出力する。
【００１６】
前記変圧器２１は、一次巻線及び少なくとも１つの二次巻線を具備する。前記一次巻線は、前記電源制御回路２３に電気接続されている。
【００１７】
前記電圧センサー２２は、前記変圧器２１の二次巻線の高電圧端に接近する位置に設置されている。前記電圧センサー２２は、電磁誘導方式で二次巻線の高電圧端の電圧の変化を測定し、且つその測定した電圧変化情報を前記電源制御回路２３へ伝送する。前記電源制御回路２３は、前記電圧センサー２２からの電圧変化情報に基づいて、自分の電源信号の出力を調節する。
【００１８】
以下、上述した電磁誘導の工作原理に対して簡単に説明する。
【００１９】
前記バックライトモジュール２が作動する場合、前記変圧器２１の二次巻線の高電圧端で流れる電気信号が高電圧の交流信号である。その交流信号の電圧が一般に１０００ボルト以上である。高電圧の交流信号が伝送される場合、比較的強い電磁場が発生されると同時に、イオン化された電子も発生される。
【００２０】
導体である前記電圧センサー２２は、前記電磁場の環境で前記交流信号を感応すると共に、前記イオン化された電子を接収する。これによって、前記電圧センサー２２が前記変圧器２１の二次巻線の高電圧端の電圧の変化を測定する。
【００２１】
図３は、本発明の第二実施の状態に係るバックライトモジュール３を示した斜視図である。前記バックライトモジュール３は、配線板３０に設置され、変圧器３１と、電圧センサー３２と、電源制御回路３３と、を具備する。前記電源制御回路３３は、電源信号を出力する。
【００２２】
前記変圧器３１は、一次巻線３１１及び少なくとも１つの二次巻線３１２を具備する。前記一次巻線３１１は、前記電源制御回路３３に電気接続されている。
【００２３】
本実施の変圧器３１は、少なくとも１つの予備接続部３１３を具備する。製造業者が変圧器を製造する時、複数の接続部を設置する。前記複数の接続部で、大部分の接続部は変圧器のコイルを巻くことに使われ、残余の接続部は使えない状態を維持している。前記残余の接続部は、変圧器の各々の接続部の電気的平衡に使われるか、後続に損害された接続部の入れ替えに使われる。
【００２４】
本実施の状態で、前記予備接続部３１３が上述した残余の接続部である。前記予備接続部３１３の前記変圧器３１の側に設置される端部は使えなく、外部に露出した他端部は前記配線板３０に接続されている。
【００２５】
前記電圧センサー３２は、前記変圧器３１の二次巻線３１２の高電圧端に接近する位置に設置されている。前記電圧センサー３２は、電磁誘導方式で前記二次巻線３１２の電圧変化を測定する一方、測定した電圧変化情報を前記電源制御回路３３へ伝送する。本実施の状態で、前記電圧センサー３２は、信号線の状態に設計されている。前記信号線は、前記配線板３０の上に設置され、且つ前記変圧器３１の予備接続部３１３に電気接続されている。前記信号線は、前記予備接続部３１３を通じて電磁誘導方式で前記変圧器３１の第二巻線３１２の高電圧端の電圧変化を測定する。
【００２６】
前記電源制御回路３３は、上述した電圧変化の情報を根拠にして、自分の電源信号の出力を調節する。
【００２７】
以下、上述した電磁誘導の工作原理に対して簡単に説明する。
【００２８】
前記バックライトモジュール３が作動する場合、前記変圧器３１の二次巻線３１１の高電圧端で流れる電気信号が高電圧の交流信号である。その交流信号の電圧が一般に１０００ボルト以上である。高電圧の交流信号が伝送される場合、比較的強い電磁場が発生される同時、イオン化された電子も発生される。
【００２９】
前記電圧センサー３２に電気接続され、且つ導体である前記変圧器３１の予備接続部３１３は、前記電磁場の環境で交流信号を感応すると共に、前記イオン化された電子を接収する。これによって、前記電圧センサー３２が前記変圧器３１の二次巻線３１２の高電圧端の電圧の変化を測定する。
【００３０】
図４は、本発明の第三実施の状態に係るバックライトモジュール４を示した斜視図である。前記バックライトモジュール４は、配線板４０に設置され、変圧器４１と、電圧センサー４２と、電源制御回路４３と、を具備する。前記電源制御回路４３は、電源信号を出力する。
【００３１】
前記変圧器４１は、一次巻線４１１及び少なくとも１つの二次巻線４１２を具備する。前記一次巻線４１１は、前記電源制御回路４３に電気接続されている。
【００３２】
前記電圧センサー４２は、前記変圧器４１の二次巻線４１２の高電圧端に接近する位置に設置されている。前記電圧センサー４２は、電磁誘導方式で前記二次巻線４１２の電圧の変化を測定する一方、測定した電圧変化情報を前記電源制御回路４３へ伝送する。本実施の状態で、前記電圧センサー４２は、銅箔４２１と信号線４２２とを具備する。前記銅箔４２１は、前記変圧器４１の二次巻線４１２の側の配線板４０の上に設置されて、電磁誘導方式で前記二次巻線４１２の電圧の変化を測定する。前記信号線４２２は、一端が前記銅箔４２１に電気接続し、他端が前記電源制御回路４３に電気接続するように、前記配線板４０の上に設置されている。前記信号線４２２は、前記銅箔４２１が測定した前記二次巻線４１２の電圧変化情報を前記電源制御回路４３へ伝送する。
【００３３】
前記電源制御回路４３は、上述した電圧の変化の情報に基づいて、自分の電源信号の出力を調節する。
【００３４】
以下、上述した電磁誘導の工作原理に対して簡単に説明する。
【００３５】
前記バックライトモジュール４が作動する場合、前記変圧器４１の二次巻線４１１の高電圧端で流れる電気信号が高電圧の交流信号である。前記交流信号の電圧が一般に１０００ボルト以上である。高電圧の交流信号が伝送される場合、比較的強い電磁場が発生される同時、イオン化された電子も産生される。
【００３６】
導体である前記電圧センサー４２の銅箔４２１は、前記電磁場の環境で前記交流信号を感応すると共に、前記イオン化された電子を接収する。これによって、前記電圧センサー４２は前記変圧器４１の二次巻線４１２の高電圧端の電圧の変化を測定する。
【００３７】
図５は、本発明の第四実施の状態に係るバックライトモジュール４を示した斜視図である。本実施の状態のバックライトモジュールの構造は、図４の実施の状態のバックライトモジュールの構造と類似する。その異なるところは、図５の実施の状態のバックライトモジュールの電圧センサー４２としてセンス（Sense）信号線４２３を採用することである。前記センス信号線４２３は、配線板４０の上に設置されている。前記センス信号線４２３の一端は、前記変圧器４１の二次巻線４１２の高電圧端側に設置されて、電磁誘導方式で前記二次巻線４１２の電圧の変化を測定する。他端は、前記電源制御回路４３に電気接続され、その測定した電圧の変化の情報を前記電源制御回路４３へ伝送する。
【００３８】
以下、上述した電磁誘導の工作原理に対して簡単に説明する。
【００３９】
前記バックライトモジュール４が作動する場合、前記変圧器４１の二次巻線４１１の高電圧端で流れる電気信号が高電圧の交流信号である。その交流信号の電圧が一般に１０００ボルト以上である。高電圧の交流信号が伝送される場合、比較的強い電磁場が発生されると同時に、イオン化された電子も産生される。
【００４０】
導体である前記センス信号線４２３は、上述した電磁場の環境で前記交流信号を感応すると共に、前記イオン化された電子を接収する。これによって、前記センス信号線４２３は前記変圧器４１の二次巻線４１２の高電圧端の電圧変化を測定する。
【００４１】
以上、本発明の好適な実施の形態について詳細に説明したが、本発明は前記実施の形態に限定されるものではなく、本発明の範囲内で種々の変形又は修正が可能であり、該変形又は修正も又、本発明の特許請求の範囲内に含まれるものであることは、いうまでもない。
【図面の簡単な説明】
【００４２】
【図１】従来のバックライトモジュールの駆動装置の構成ブロック図である。
【図２】本発明の第一実施の状態に係るバックライトモジュールの回路のブロック図である。
【図３】本発明の第二実施の状態に係るバックライトモジュールを示した斜視図である。
【図４】本発明の第三実施の状態に係るバックライトモジュールを示した斜視図である。
【図５】本発明の第四実施の状態に係るバックライトモジュールを示した斜視図である。
【符号の説明】
【００４３】
２  バックライトモジュール
２１  変圧器
２２  電圧センサー
２３  電源制御回路
３  バックライトモジュール
３０  配線板
３１  変圧器
３１１  一次巻線
３１２  二次巻線
３１３  予備接続部
３２  電圧センサー
３３  電源制御回路
４  バックライトモジュール
４０  配線板
４１  変圧器
４１１  一次巻線
４１２  二次巻線
４２  電圧センサー
４２１  銅箔
４２２  信号線
４２３  センス信号線
４３  電源制御回
【図１】
2010003666.tif 000003
【図２】
2010003666.tif 000004
【図３】
2010003666.tif 000005
【図４】
2010003666.tif 000006
【図５】
2010003666.tif 000007